(57)【要約】　　　（修正有）【課題】背もたれの調整をする場合、調整ボルトを回し続けることによって構成部材が不当な圧力を受けて損傷を招くことがなく使用寿命を延長する椅子の背もたれ調整装置を提供する。【解決手段】ハウジング２１と、該ハウジング内に設けられ、長手方向の側面を切り欠いて断面がＣ字状を呈するように形成するとともに、該切り欠いた壁面に螺刻し、かつ該側面に対向する他の側面には係止溝を形成してなる移動ブロック２２と、つまみ部と、水平方向に延伸して形成される、略中央の位置に、移動ブロックの側面に形成したネジ山に対応するネジ山を形成した調整ボルト２３と、該ハウジングの一端を閉塞し、該調整ボルトの動作を制限するカバー２４と、椅子の背もたれ内に設けられる背もたれ調整板と、一端が該背もたれ調整板に接続し、かつ他端は弾性体３を挿通させ、かつ該移動ブロックの係止溝２２２に係止するガイドワイヤ１１とによって構成する。【選択図】　図１
0003098190.tif 000002
【実用新案登録請求の範囲】
【請求項１】
ハウジングと、
該ハウジング内に設けられ、長手方向の側面を切り欠いて断面がＣ字状を呈するように形成するとともに、該切り欠いた壁面に螺刻し、かつ切り欠いて螺刻した側面に対向する他の側面には、係止溝を形成してなる移動ブロックと、
つまみ部と、及び該つまみ部から水平方向に延伸して形成されるボルト桿とを具え、該ボルト桿の略中央の位置に、該移動ブロックの側面に形成したネジ山に対応するネジ山を形成するとともに、該ボルト桿をハウジング該に挿設する調整ボルトと、
該ハウジングの一端を閉塞し、該調整ボルトの動作を制限するカバーと、
椅子の背もたれ内に設けられる背もたれ調整板と、
一端が該背もたれ調整板に接続し、かつ他端は弾性体を挿通させ、かつ該移動ブロックの係止溝に係止するガイドワイヤと、によってなることを特徴とする椅子の背もたれ調整装置。
【考案の詳細な説明】
【０００１】
【考案の属する技術分野】
この考案は、椅子の背もたれ調整装置に関し、特に背もたれに調整板を内設し、該調整板を反らせて背もたれと背中の接触状態を調整する背もたれ調整装置に関する。
【０００２】
【従来の技術】
一部の椅子は、背もたれ内に背もたれ調整板を設けて、背もたれの使用者の背中に接触する面を調整するものがある。即ち、該背もたれ調整板は弾性を具える板材であって、ガイドワイヤの一端を接続し、該ガイドワイヤを引っ張ることによって、背もたれ調整板の表面が円弧面を呈するように変形させて、背もたれの使用者の背中に接触する面の反り具合を使用者の好み、習慣などに合わせて調整し、椅子のより好ましい使い心地を得る。
【０００３】
前記ガイドワイヤを引っ張るための手段は、図６に開示するように、つまみ部と該つまみ部に直行する方向に延伸し、かつ外周面に螺刻したボルト桿とによってなる調整ボルトと、該調整ボルトの螺刻したボルト桿を挿入するハウジングと、該ハウジング内に設けられる移動ブロックとによって構成される。該移動ブロックには一端が背もたれ調整板に接続するガイドワイヤの一端を係止するとともに、該調整ボルトのボルト桿に接触する面に、該ボルト桿に形成したネジ山に螺合するネジ山を形成する。よって、調整ボルトを回転させると、該移動ブロックが互いに螺合するネジ山の作用によって前方、もしくは後方に移動してガイドワイヤが引っ張られるか、もしくは緩む。
【０００４】
以上の構造による椅子の背もたれ調整装置を利用して背もたれの調整を行う場合、通常使用者が背もたれに凭れ掛かった状態で調整ボルトを回転させ、背もたれと背中の接触状態を感じながら調整する。但し、背もたれに凭れ掛かった状態においては、背もたれが圧力を受け、ガイドワイヤが引っ張られ、かつ調整ボルトを含む調整手段に応力が発生する。かかる状態で調整ボルトを回転させると、移動ブロックが移動できるストロークの限界であるデッドポイントに至り、即ちハウジングの前端内壁に当接するか、もしくは後端内壁に当接して、さらに前進できなくなっても、調整ボルトを回転させる手の感覚でこれを感じ取ることは難しい。このため、移動ブロックがデッドポイントに至っても調整ボルトを回転し続けることがあり、調整手段の損傷を招く因子となる。さらに、製造コストを節減させるために、かかる調整手段は通常硬質のプラスチック材で製造される。よって、移動ブロックがデッドポイントに至ったことを感じ取ることが難しく、調整ボルトを回わし続けて調整手段の損傷を招くとう問題が、容易に発生する。
これを解決するために、例えば金属材などを用いた場合、製造コストが高くなる。
【０００５】
【考案が解決しようとする課題】
この考案は、調整ボルトを回し続けても、調整手段を構成する部材の損傷を招くことのない椅子の背もたれ調整手段を提供することを課題とする。
【０００６】
【課題を解決するための手段】
そこで、本考案者は従来の技術に見られる欠点に鑑み鋭意研究を重ねた結果、ハウジングと、該ハウジング内に設けられネジ山を形成した移動ブロックと、つまみ部と及び該つまみ部から水平方向に延伸して形成されるボルト桿とを具え、該ボルト桿の略中央の位置に、該移動ブロックのネジ山に対応するネジ山を形成する調整ボルトと、該ハウジングの一端を閉塞し、該調整ボルトの動作を制限するカバーと、椅子の背もたれ内に設けられる背もたれ調整板と、一端が該背もたれ調整板に接続し、かつ他端が該移動ブロック係止するガイドワイヤとによってなる椅子の背もたれ調整装置の構造によって課題を解決できる点に着眼し、かかる知見に基づいて本考案を完成させた。
【０００７】
即ち、この考案における調整ボルトは、ボルト桿の略中央の位置のみに螺刻することによって、移動ブロックがデッドポイントに至ると移動ブロックのネジ山がボルト桿のネジ山から離れ、調整ボルトが回り続けても移動ブロックに回転の力が伝わらないように構成する。かかる構造によって、この考案の課題を解決する椅子の背もたれ調整装置が得られる。
【０００８】
以下、この考案について具体的に説明する。
請求項１に記載する椅子の背もたれ調整手段は、ハウジングと、
該ハウジング内に設けられ、長手方向の側面を切り欠いて断面がＣ字状を呈するように形成するとともに、該切り欠いた壁面に螺刻し、かつ切り欠いて螺刻した側面に対向する他の側面には、係止溝を形成してなる移動ブロックと、
つまみ部と、及び該つまみ部から水平方向に延伸して形成されるボルト桿とを具え、該ボルト桿の略中央の位置に、該移動ブロックの側面に形成したネジ山に対応するネジ山を形成するとともに、該ボルト桿をハウジング該に挿設する調整ボルトと、
該ハウジングの一端を閉塞し、該調整ボルトの動作を制限するカバーと、
椅子の背もたれ内に設けられる背もたれ調整板と、
一端が該背もたれ調整板に接続し、かつ他端は弾性体を挿通させ、かつ該移動ブロックの係止溝に係止するガイドワイヤと、によってなる。
【０００９】
【考案の実施の形態】
この考案は、背もたれに調整板を内設し、該調整板を反らせて背もたれと背中の接触状態を調整する背もたれ調整装置を提供するものであって、ハウジングと、該ハウジング内に設けられネジ山を形成した移動ブロックと、つまみ部と及び該つまみ部から水平方向に延伸して形成されるボルト桿とを具え、該ボルト桿の略中央の位置に、該移動ブロックのネジ山に対応するネジ山を形成する調整ボルトと、該ハウジングの一端を閉塞し、該調整ボルトの動作を制限するカバーと、椅子の背もたれ内に設けられる背もたれ調整板と、一端が該背もたれ調整板に接続し、かつ他端が該移動ブロック係止するガイドワイヤとによって構成する。
かかる椅子の背もたれ調整装置の構造と特徴を詳述するために、具体的な実施例を挙げ、図示を参照にして以下に説明する。
【００１０】
【実施例】
図１、２に、この考案による椅子の背もたれ調整装置を開示する。図面によれば、該調整装置は、椅子の背もたれに内設される背もたれ調整板（１）と、調整手段（２）とによってなり、該調整板（１）と調整手段（２）はガイドワイヤ（１１）で連結する。調整手段（２）は、ハウジング（２１）と、ハウジング（２１）内に設けられる移動ブロック（２２）と、該ハウジング（２１）の一端を閉塞するカバー（２４）と、調整ボルト（２３）とによって構成され、ガイドワイヤ（１１）の一端を接続する。ガイドワイヤ（１１）の他端は、背もたれ調整板（１）に接続する。背もたれ調整板は弾性を有する板材であって、椅子の背もたれに内設される。
【００１１】
移動ブロック（２２）は、長手方向の側面を切り欠いて断面がＣ字状を呈するように形成するとともに、該切り欠いた内壁面に螺刻する。また、切り欠いて螺刻した側面に対向する他の側面には、ガイドワイヤ（１１）を固定するための係止溝（２２２）を形成する。図１に開示するように、ガイドワイヤ（１１）は、コイルバネである弾性体（３）を挿通さた一端に円柱状の係止ブロックを設けて係止溝（２２２）に嵌着し、係止する。
【００１２】
調整ボルト（２３）は、つまみ部から水平方向に延伸して形成されるボルト桿の略中央の位置に、該移動ブロック（２２）の側面に形成したネジ山に対応するネジ山を形成し、該ボルト桿をハウジング（２１）に挿設する。この場合、該ボルト桿に形成したネジ山が、移動ブロック（２２）の側面に形成したネジ山に螺合する。
【００１３】
カバー（２４）は、図１に開示するようにボルトでハウジング（２１）の一端に固定し、調整ボルト（２３）の水平方向の動作を制限する作用を有する。
【００１４】
図３に開示するように、ボルト桿をハウジング（２１）に挿設した調整ボルト（２３）を一方に回転させると、該ボルト桿に形成したネジ山と、移動ブロック（２２）の側面に形成したネジ山の作用によって移動ブロック（２２）が移動する。移動ブロック（２２）が調整ボルト（２３）のつまみ部の方向に移動すると、ガイドワイヤ（１１）が引っ張られ、背もたれ調整板（１）が変形して円弧状を呈し、背もたれの表面が変形して、使用者の背中との接触状態を調整することができる。また、調整ボルト（２３）を逆方向に回転させると、移動ブロック（２２）が背もたれ調整板（１）の方向に移動し、背もたれ調整板（１）を引っ張る力が解除され、背もたれ調整板（１）が弾性で本来の状態に後帰し、ガイドワイヤ（１１）が緩む。
【００１５】
図４に開示するように、移動ブロック（２２）が調整ボルト（２３）のつまみ部の方向に移動し、前部デッドポイントに至ると、ガイドワイヤ（１１）に挿通させた弾性体（３）の一端がハウジング（２１）の内壁に当接して圧縮される。また、移動ブロック（２２）のネジ山は、調整ボルト（２３）のボルト桿に形成したネジ山から離れる。この状態において調整ボルト（２３）を継続して回転させても、空転して力が移動ブロック（２２）に伝わらない。よって、調整ボルト（２３）を回転しつづけて部材の損傷を招くことを防ぐことができる。
【００１６】
上述の状態において、調整ボルト（２３）のつまみ部を逆方向に回転させると、移動ブロック（２２）は弾性体（２３）の付勢力と、ネジ山の作用によって、移動ブロック（２２）のネジ山と、調整ボルト（２３）のボルト桿に形成したネジ山とが螺合して、移動ブロック（２２）が調整ボルト（２３）のつまみ部の方向に移動し、ガイドワイヤ（１１）が引っ張られる。
【００１７】
図５に開示するように、移動ブロック（２２）が調整ボルト（２３）のつまみ部の方向に移動して後部デッドポイントに至ると、移動ブロック（２２）のネジ山は、調整ボルト（２３）のボルト桿に形成したネジ山から離れる。この状態において調整ボルト（２３）を継続して回転させても、空転して力が移動ブロック（２２）に伝わらない。よって、調整ボルト（２３）が回転を続けて部材が不当な力を受け、損傷を招くことを防ぐことができる。
【００１８】
上述の状態において、ガイドワイヤ（１１）によって引っ張られて変形し、円弧状曲面を呈した背もたれ支持部（１）によって応力が発生し、ガイドワイヤ（１１）が引っ張られた状態にある。よって、調整ボルト（２３）のつまみ部を逆方向に回転させると、応力を受けて移動ブロック（２２）のネジ山と、調整ボルト（２３）のボルト桿に形成したネジ山とが螺合して、移動ブロック（２２）が調整ボルト（２３）のつまみ部の方向に移動し、ガイドワイヤ（１１）が緩む。
【００１９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【００２０】
【考案の効果】
この考案による椅子の背もたれ調整装置は、背もたれの反り具合を調整して背もたれと背中の好ましい接触が得られるとともに、背もたれの調整をする場合、調整ボルトを回しつづけることによって調整装置を構成する部材が不当な圧力を受けて損傷を招くことがなく、調整装置の使用寿命を延長することができる。さらに、調整装置が不当な圧力を受けることがないため、調整装置の部材は硬質プラスチック材などを使用することができ、製造コストを低減させることができる
【図面の簡単な説明】
【図１】この考案による椅子の背もたれ調整装置における調整手段の分解図である。
【図２】この考案による椅子の背もたれ調整装置の斜視図である。
【図３】図１に開示する調整手段の断面図である。
【図４】図１に開示する調整手段において、移動ブロックがデッドポイントに至り、さらに逆方向に移動する動作を表わす説明図である。
【図５】図１に開示する調整手段において、移動ブロックが他のデッドポイントに至り、さらに逆方向に移動する動作を表わす説明図である。
【図６】従来の背もたれ調整手段の断面図である。
【符号の説明】
１　　　　　　　　背もたれ調整板
１１　　　　　　ガイドワイヤ
２　　　　　　　調整手段
２１　　　　　　ハウジング
２２　　　　　　移動ブロック
２２２　　　　　固定溝
２３　　　　　　調整ボルト
２４　　　　　　カバー
３　　　　　　　弾性体
【図１】
0003098190.tif 000003
【図２】
0003098190.tif 000004
【図３】
0003098190.tif 000005
【図４】
0003098190.tif 000006
【図５】
0003098190.tif 000007
【図６】
0003098190.tif 000008